(57)【要約】【課題】使用者が使用時の環境に合わせて性能を変更できるようにする。【解決手段】顔面の対象部位を覆う本体部２と、この本体部２を身体に係止するための係止部３とを有するマスク１１において、本体部２を三層構造とし、かつ中間層２Ｃを外層及び内層の隙間間に対して出し入れ自在に構成する。【選択図】図６
2007021028.tif 000002
【特許請求の範囲】
【請求項１】
顔面の対象部位を覆う本体部と、この本体部を身体に係止するための係止部とを有するマスクにおいて、
少なくとも前記本体部は、湿度変化を打ち消すように湿気の吸収及び放出を行う湿度調整層を有する、ことを特徴とするマスク。
【請求項２】
前記湿度調整層が、湿度変化を打ち消すように湿気の吸収及び放出を行う粒子と、この粒子を保持する担体とを有するシート状部材である、請求項１記載のマスク。
【請求項３】
前記本体部における少なくとも眼窩下部と対向する部分に、前記湿度調整層を有する、請求項１または２記載のマスク。
【請求項４】
前記本体部における少なくとも鼻及び口周辺部と対向する部分に、前記湿度調整層を有する、請求項１〜３のいずれか１項に記載のマスク。
【請求項５】
前記湿度調整層を有する部分は、湿度調整層を他の層に対して着脱自在に積層してなる、請求項１〜４のいずれか１項に記載のマスク。
【請求項６】
前記本体部は外層、内層およびこれらの間に配置された湿度調整層を有し、この湿度調整層が外層及び内層に対して着脱自在とされている、請求項１〜５のいずれか１項に記載のマスク。
【発明の詳細な説明】
【技術分野】
【０００１】
本発明は、口許や鼻孔等の顔面の対象部位を覆うマスクに関するものである。
【背景技術】
【０００２】
従来、マスクとしては、ガーゼを複数枚重ねて矩形状となし、その左右両側に耳掛け用のゴム紐を環状に取り付けたものが汎用されてきた。
【０００３】
また、使い捨て用としては、カップ状に成形された本体部の左右両側に耳掛け用のゴム紐を環状に取り付けたものや、矩形等に形成した発泡ウレタンシートの左右両側に耳掛け用の開孔を設けたものなどが用いられてきた。
【０００４】
さらに近年では、不織布を使用したマスクが開発されており、平坦状のものの他、当初は平坦状であるものの幅方向に沿ってプリーツが形成されており、口元、鼻の膨らみに追従して形状変形するもの（例えば特許文献１参照）や、左側部分及び右側部分を重ねて幅方向中央線で接合し、左側部分と右側部分との間を広げてその間の部分を口元や鼻にあてがうポケット型のもの（例えば特許文献２参照）等が提供されている。
【０００５】
しかしながら、マスク内は呼吸により湿気が供給されるため、多湿環境下で非常に蒸れ易く、不快になり易い。一方、呼吸により湿気が供給されるといっても瞬間的であり、またマスク外部への放出も比較的に早いため、乾燥環境下における喉の乾燥を和らげるには不十分である。さらに、眼鏡着用者の場合、マスク内の湿気が上昇してマスク外部に放出されることにより、眼鏡が曇ってしまうという問題点もある。
【特許文献１】特開２００３−２７５３３２号公報
【特許文献２】特開平７−２７５３８４号公報
【発明の開示】
【発明が解決しようとする課題】
【０００６】
そこで、本発明の主たる課題は、上記湿気に起因する問題を解決することにある。
【課題を解決するための手段】
【０００７】
上記課題を解決した本発明は次記のとおりである。
＜請求項１記載の発明＞
顔面の対象部位を覆う本体部と、この本体部を身体に係止するための係止部とを有するマスクにおいて、
少なくとも前記本体部は、湿度変化を打ち消すように湿気の吸収及び放出を行う湿度調整層を有する、ことを特徴とするマスク。
【０００８】
（作用効果）
本発明では、少なくとも本体部に湿度調整層を備えることによって、多湿環境下で湿気の吸収により蒸れを防止できるだけでなく、乾燥環境下では湿気の放出により喉等の乾燥を和らげることができるようになる。また眼鏡着用者においては眼鏡の曇りを抑制することができるようになる。
【０００９】
＜請求項２記載の発明＞
前記湿度調整層が、湿度変化を打ち消すように湿気の吸収及び放出を行う粒子と、この粒子を保持する担体とを有するシート状部材である、請求項１記載のマスク。
【００１０】
（作用効果）
湿度調整を行う材料としては天然もしくは人工の多孔質無機物質もしくは多孔質有機物質、例えばゼオライトやセピオライト等の多孔質鉱物等、固形材料を好適に用いることができる。この際、固形物は柔軟性に乏しいため、粒子状として用いるのが好ましいが、粒子をそのまま湿度調整層とすると着脱が困難になり易い。よって、本項記載のように、湿度調整粒子を担体に保持させたシート状部材を、湿度調整層とするのが好ましい。
【００１１】
＜請求項３記載の発明＞
前記本体部における少なくとも眼窩下部と対向する部分に、前記湿度調整層を有する、請求項１または２記載のマスク。
【００１２】
（作用効果）
このように、少なくとも眼窩下部と対向する部分に湿度調整材を有すると、マスク内の湿気が上昇してマスク外部に放出される直前で、湿気が湿度調整材により吸収除去されるため、眼鏡着用者の場合に眼鏡が曇るといった事態が発生し難くなる。
【００１３】
＜請求項４記載の発明＞
前記本体部における少なくとも鼻及び口周辺部と対向する部分に、前記湿度調整層を有する、請求項１〜３のいずれか１項に記載のマスク。
【００１４】
（作用効果）
このように少なくとも鼻及び口周辺部と対向する部分に湿度調整材を有すると、呼吸に伴って出入りする空気の湿度を調整でき、喉等の乾燥を和らげる又は多湿感を軽減できるようになる。
【００１５】
＜請求項５記載の発明＞
前記湿度調整層が着脱自在に設けられている、請求項１〜４のいずれか１項に記載のマスク。
【００１６】
（作用効果）
このように、湿度調整層が着脱自在に設けられていると、使用者が必要に応じて種類や量・大きさ等を変更することにより性能を調節でき、また湿度調整層の性能が劣化した際における交換も容易となる。
【００１７】
＜請求項６記載の発明＞
前記本体部は外層、内層およびこれらの間に配置された湿度調整層を有し、この湿度調整層が外層及び内層に対して着脱自在とされている、請求項１〜５のいずれか１項に記載のマスク。
【００１８】
（作用効果）
このように三層構造の中間層を着脱自在とすることにより、外見や肌触りを変化させずに、湿度調整層の交換が可能になる。
【発明の効果】
【００１９】
以上のとおり、本発明によれば、湿気に起因する種々の問題が解決されるようになる。
【発明を実施するための最良の形態】
【００２０】
以下、本発明の一実施形態について添付図面を参照しながら詳説する。
（第一の形状例）
図１は、ポケット型のマスク１を示している。このマスク１は、口許及び鼻腔を覆う本体部２と、この本体部２を身体に係止するための係止部３とを備えている。本体部２は、幅方向中央線に関して対称をなす左側部分２Ｌ及び右側部分２Ｒからなり、両部分２Ｌ，２Ｒは平坦な素材からなり、かつ幅方向中央側の縁部４で接合されている。また、この接合部分４は、上下両側よりも中間部が外側に膨出する湾曲状をなしている。
【００２１】
一方、係止部３は、耳に掛けるための開口５を有する環状の平坦部材であり、本体部２の左右両側縁２ｅ，２ｅに接合されている。
【００２２】
本体部２及び係止部３は、左側部分２Ｌと右側部分２Ｒとを重ね合わせた非使用状態では平坦になる。これに対して、本体部２は、左側部分２Ｌと右側部分２Ｒとの間を広げた使用状態（図示状態）ではカップ状になる。この状態で着用者の口許や鼻腔を覆うようにあてがうと、口許や鼻腔のまわりに空間を残して被覆することができる。
【００２３】
（第二の形状例）
第一の形状例では、本体部２と係止部３とを別の部材として形成し、両者を接合しているが、図２に示すように本体部２と係止部３とを単一の部材として一体的に形成することもできる。
【００２４】
（第三の形状例）
また、図示しないが、ポケット型の形態において、接合線を上下方向に沿って形成する必要はなく、例えば幅方向に沿って形成することもできる。
【００２５】
（第四の形状例）
図３及び図４は、平坦型のマスク１１を示している、このマスク１１は、口許及び鼻腔を覆う本体部２と、この本体部２を身体に係止するための係止部３とを備えている。本体部２は、幅方向に沿うプリーツ６（ジグザグ状に折り重ねて形成した襞）を複数有しおり、その両側部には、係止部３としての耳掛け用ゴム紐が環状に取り付けられている。プリーツの数は２〜３本が好ましい。
【００２６】
本例では、本体部１１の幅方向中間部において上端と下端とを離間させるように引っ張ると、中央部が外側に膨出すようにプリーツ６が拡開し、全体としてカップ状に変形する。よって、図５に示すように、この状態で着用者の口許や鼻腔を覆うようにあてがうと、口許や鼻腔のまわりに空間を残して被覆することができる。
【００２７】
本体部２の形状としては、図示のような矩形の他、楕円形、菱形等、適宜の形状を採用することができる。
【００２８】
（第五の形状例）
第五の形状例は図６に示すとおり、プリーツ６を有する第四の形状例に対して、プリーツを省略したものである。このような簡素な形態も採用することができる。
【００２９】
（第六の形状例）
図１〜図４に示す示形態の係止部３は、環状部材を耳に掛け止めるタイプであるが、本体部の両側部を帯状部材で繋ぎ、この帯状部材を頭部または首部に掛け回して係止するタイプも採用することができる（図示略）。このタイプの係止部は例えば特開平９−３１３６３１号公報に示されている。
【００３０】
（層構造）
本体部２は、一層構造であっても良いが、複数の層からなる構造とするのが好ましい。例えば、図２に示すように、外層２Ａ及び内層２Ｂを有する２層構造としたり、図４や図６に示すように、外層２Ａ、内層２Ｂおよびこれらの間に介在された中間層２Ｃを有する三層構造としたりすることができる。特に、図２に示すように、外層２Ａ（内層でも良い）により、本体部２と係止部３とを単一の部材として一体的に形成し、その本体部相当部分の内面に、内層２Ｂを積層することにより、本体部２を二層構造とすることもできる。また、このような複数の層からなる層構造は、係止部３においても採用することができる。
【００３１】
複数層とする場合、層相互は、全部または一部（上下端部、左右両端部、四隅部、散点状等）を他の隣接層や隣接部材に接合固定することも、また、そのような固定なしに、ある層を他の層間に挟む等により保持させることもできる。要は、層の脱落や剥離無に使用できれば良い。
【００３２】
また、複数層とする場合、少なくとも一層、例えば図２に示すような二層構造における内層２Ｂ、あるいは図４、図６に示すような三層構造における中間層２Ｃが、塵埃等の濾過機能、芳香機能、ウイルス・アレルゲン不活化機能、抗菌機能、形状保持機能等の少なくとも一つの機能を有する機能層であるのが好ましい。他の機能層としては、表面にエンボスやワイヤーによる凹凸を設けたシート状部材からなる通気性向上層を挙げることができる。この場合、当該通気性向上層と他の隣接層との間に凹凸による隙間が形成され、通気性が向上する。これらの機能層は、後述する湿度調整層の場合と同様に、着脱自在に設けることができる。
【００３３】
（本発明のポイント）
本発明では、少なくとも本体部２が、湿度変化を打ち消すように湿気の吸収及び放出を行う湿度調整層を有する。すなわち、本体部２の一部または全部を、湿度調整層のみの一層構造または湿度調整層と他の層とを積層してなる複数層構造とすることができる。また、係止部３についても同様に湿度調整層を有するように構成できる。
【００３４】
このような湿度調整層は、天然もしくは人工の多孔質無機物質もしくは多孔質有機物質、例えばゼオライトやセピオライト等の多孔質鉱物、シリカゲル、活性炭等の湿度調整材料を用いて構成することができる。
【００３５】
湿度調整層の形態は特に限定されないが、湿度変化を打ち消すように湿気の吸収及び放出を行う粒子と、この粒子を保持する担体とを有するシート状部材とするのは一つの好ましい形態である。この形態に含まれる具体例としては、通気性を有する繊維集合体からなるシート状担体に湿度調整粒子を保持させたものや、通気性を有する袋状担体内に湿度調整粒子を封入させたものを挙げることができる。これらの場合、湿度調整粒子は、担体に対して自由に移動できるように構成しても良いが、必要に応じて担体にバインダー等を用いて接着することができる。繊維集合体の具体例は後述のとおりである。
【００３６】
湿度調整材料の使用量は、使用する材料の種類や性能に応じて適宜定めれば良く、例えば、ゼオライトやセピオライトの場合、その使用量はマスク１枚あたり０．１〜３０ｇ程度とすることができ、特に１〜１０ｇ程度とするのが好ましい。使用量が過度に多くなるとマスクが重くなり、過度に少なくなると湿度調整効果が乏しくなる。
【００３７】
このような湿度調整層を設ける場合、本体部２における少なくとも眼窩下部（通常の形態では本体部の上端部）と対向する部分に設けるのは好ましい形態である。また、湿度調整層を本体部２における少なくとも鼻及び口周辺部と対向する部分に設けるのも好ましい形態である。前者の場合、眼鏡着用者における眼鏡の曇りが抑制されるようになり、後者の場合、呼吸に伴って出入りする空気の湿度が調整され、喉等の乾燥が和らぐ又は多湿感が軽減されるようになる。なお、本体部２における鼻及び口周辺部とは、例えば図６に示すように、縦方向中間かつ幅方向中間に位置する部分Ｚとすることができる。
【００３８】
湿度調整層を有する部分を複数層とする場合、湿度調整層を他の層に対して着脱自在に取り付けるのは好ましい。例えば、図６に示すように、三層構造における中間層２Ｃを湿度調整層とし、これを本体部２の端縁（あるいは外層２Ａもしくは内層２Ｂに設けた開口でも良い）の隙間を介して出し入れ自在とすることができる。図示しないが、二層構造の場合、粘着材やメカニカルファスナー等の剥離及び際接着可能な接合手段を用い、湿度調整層を他方の層の外面に着脱自在に張り付けることもできる。着脱自在とする層の数は特に限定されるものではなく、一層でもまた複数層でも良い。
【００３９】
（本体部の素材）
本体部２の（複数層の場合には各層の）素材としては、適宜定めることができるが、ＪＩＳ  Ｚ  ０２０８に規定される透湿度が３００ｇ／ｍ2・ｈｒ以上の透湿素材を用いることができる。
【００４０】
このような素材としては、多数の透過孔を有する多孔性シート、網材の他、織布、不織布等の短繊維若しくは長繊維集合体、ならびにこれらの積層体を挙げることができる。
【００４１】
繊維集合体を用いる場合、その原料繊維が何であるかは、特に限定されない。例えば、ポリエチレンやポリプロピレン等のオレフィン系、ポリエステル系、ポリアミド系等の合成繊維、レーヨンやキュプラ等の再生繊維、綿等の天然繊維などや、これらから二種以上が使用された混合繊維などを例示することができる。
【００４２】
さらに、不織布を用いる場合、どのような加工によって製造されたものであってもよい。加工方法としては、公知の方法、例えば、スパンレース法、スパンボンド法、サーマルボンド法、メルトブローン法、ニードルパンチ法、エアスルー法等を例示することができる。また、花粉や細かな塵埃の遮断性能を高めるために、ＳＭＳ不織布やＳＭＭＳ不織不等のような、極細繊維（直径０．５〜５μｍ程度）からなる層を有する積層型不織布を用いることもできる。
【００４３】
繊維集合体を用いる場合、目付け量は１５〜７０ｇ／ｍ2程度、特に２０〜５０ｇ／ｍ2程度とすることができる。目付け量が過度に少なくなると強度に問題が生じ易くなる。特に着脱を繰り返すと係止部等において破れが発生するおそれがある。また、目付け量が過度に多くなると、風合いが損なわれ、喋りづらくなったり、肌との摩擦が強くなったりするおそれがある。
【００４４】
（係止部の素材）
係止部３の素材としては、本体部２と同様の素材から選択することもできるが、好ましくは伸縮性や弾性に富み、肌への刺激が少ない素材を選択するのが好ましい。
【００４５】
例えば、ポケット型のマスク１の場合には、弾性伸縮性フィルムの表裏両側に不織布を貼り付け、必要に応じて針刺し加工等の伸縮性向上加工を施してなるラミネート不織布や、熱捲縮性の複合繊維からなるウエブを熱処理することによって得られる伸縮性不織布の他、一対の不織布を張り合わせるとともに、不織布間に糸ゴム等の弾性伸縮部材を挟んでなる伸縮性不織布等を好適に用いることができる。
【００４６】
また、例えば、平坦型のマスク１１の場合には、ポケット型のマスク１の場合と同様の素材から選択する他、平ゴム、丸ゴム等を用いることができる。
【００４７】
さらに、これらの素材と、本体部２の項で述べた素材とを積層等により結合した素材を係止部３のとして用いることもできる。
【００４８】
（本体部のサイズ）
本体部２のサイズは適宜定めることができ、特に限定されるものではないが、例えば、ポケット型の場合で縦９０〜１５０ｍｍ、横８０〜１６０ｍｍとすることができ、また平坦型の場合（プリーツ６を有する場合はプリーツ６を拡げない状態で）、縦６０〜１１０ｍｍ、横８０〜１８０ｍｍとすることができる。
【００４９】
（その他）
部材相互や層相互の接合は、ヒートシールやホットメルト接着、超音波溶着、粘着（剥離再接着可能又は不可能）、メカニカルファスナー等、公知の接合手段により行うことができる。
【００５０】
また、上記ポケット型の形態の構成と平坦型の形態の構成とは、排他的なものではなく、相互に置換可能であることはいうまでもない。
【産業上の利用可能性】
【００５１】
本発明は、花粉症等におけるアレルゲンの遮断や、風邪等における感染防止を目的として、鼻や口を覆うマスクの他、広範な用途に適用できるものである。
【図面の簡単な説明】
【００５２】
【図１】第一の形状例を示す斜視図である。
【図２】第二の形状例を示す斜視図である。
【図３】第四の形状例を示す斜視図である。
【図４】図３のＩＶ−ＩＶ断面図である。
【図５】第四の形状例を示す側面図である。
【図６】第五の形状例を示す斜視図である。
【符号の説明】
【００５３】
１…マスク、２…本体部、３…係止部、４…接合部分、５…開口、６…プリーツ。
【図１】
2007021028.tif 000003
【図２】
2007021028.tif 000004
【図３】
2007021028.tif 000005
【図４】
2007021028.tif 000006
【図５】
2007021028.tif 000007
【図６】
2007021028.tif 000008